(57)【要約】【課題】指操作で簡単に施錠並びに解錠状態にできる引戸用のロック具を提案する。【解決手段】ケース状の取り付け基体と、この取り付け基体の収納部分に水平動自在に設けられ、かつ、取り付け基体の一端面を基準にして出没可能な係合スライダーと、一端面と交差する取り付け基体の正面側に位置する操作片と、この操作片に連結され、かつ、該操作片の操作力に基づき前記係合スライダーを作動させる動力伝達手段とを備える引戸用ロック具。【選択図】図７
2008127857.tif 000002
【特許請求の範囲】
【請求項１】
ケース状の取り付け基体と、この取り付け基体の収納部分に水平動自在に設けられ、かつ、取り付け基体の一端面を基準にして出没可能な係合スライダーと、前記一端面と交差する取り付け基体の正面側に位置する操作片と、この操作片に連結され、かつ、該操作片の操作力に基づき前記係合スライダーを作動させる動力伝達手段とを備える引戸用ロック具。
【請求項２】
請求項１に於いて、係合スライダーは、取り付け基体のレール部にスライド嵌合する嵌合部を有すると共に、該嵌合部に連続する中央部には、その内端面から突出先端部に向かって動力伝達手段としてのピニオン部材と噛合するラックが形成されていることを特徴とする引戸用ロック具。
【請求項３】
請求項１に於いて、係合スライダーには、施錠状態の時に取り付け基体の被係合部に係合する係合手段が設けられていることを特徴とする引戸用ロック具。
【請求項４】
請求項３に於いて、取り付け基体の収納部分には、係合スライダーを常時内部方向に付勢する戻しバネが配設されていることを特徴とする引戸用ロック具。
【請求項５】
引戸に凹所５１を有する受け具５０を取り付け、一方、戸枠に請求項１に記載の引戸用ロック具１を取り付けたことを特徴とする引戸錠。
【請求項６】
請求項５に於いて、引戸の閉鎖時、受け具の凹所５１とロック具の係合スライダー４が対向し、施錠状態にする場合には、操作片５を操作すると、係合スライダーの突出外端部４ａが凹所５１内に入り込むことを特徴とする引戸錠。
【請求項７】
請求項５に於いて、受け具５０の凹所内に該凹所５１を複数に区分けする仕切り片５２を設け、引戸の閉鎖時、ロック具の係合スライダーと対向する第１凹所５１ａは、係合スライダー４を受止める係止用として使用され、一方、他方の露呈する第２凹所５１ｂは引手用として使用されることを特徴とする引戸錠。
【発明の詳細な説明】
【技術分野】
【０００１】
本発明は、例えば建具用ロック具と、これを利用した引戸錠に関する。
【背景技術】
【０００２】
特許文献１や特許文献２に記載されているように、普通一般の引戸錠は、（ａ）引戸の戸先、或いは下框、或いはまた上框に錠箱内装の鎌片、デッドボルト等の係合片を設け、一方、前記係合片が係脱する凹所を有する受け具は、固定部材である戸枠の縦枠や下枠或いは上枠に設けている。
【０００３】
また、普通一般の引戸錠は、（ｂ）引戸に設けられたシリンダ錠の鍵穴に合鍵を差込み、該合鍵を操作することによって、またはサムターンを操作することによって、係合片が固定部材の受け具に対して出没する。さらに、普通一般の引戸錠は、（ｃ）閉戸時には引戸が戸枠の縦枠に衝突する。
【０００４】
ところで、現在、合鍵を回転操作しないで、指で簡単に操作して施錠状態又は解錠状態にできる（いわゆる操作性が良い）引戸用ロック具の出現が要望されている。また、普通一般の引戸以外の引戸に対象を広げるために、普通一般の引戸錠の有する（ａ）ないし（ｃ）の特質に拘泥しない新規な引戸錠の出現も要望されている。
【特許文献１】特許公開２００５−１２０６０６号公報
【特許文献２】特許公開平１０−１０２８５５号公報
【発明の開示】
【発明が解決しようとする課題】
【０００５】
本発明の第１の目的は、ロック具の操作性の向上を図り、指の操作で簡単に施錠状態及び解錠状態にすることができること。第２の目的は、係合スライダーを安定的に水平移動させることができること。第３の目的は、従来の引戸錠とは違う、いわば逆転の発想により、固定部材としての戸枠にロック具を取り付けると共に、該ロック具の方に鎌片的な機能を持たせ、一方、可動体としての引戸の方に受け具を取り付けることにより、上げ下げ型シャッターや吊り下げ型ランナー方式の引戸錠として利用することができることである。その他の目的は、解錠時、操作片を少し操作すると、係合スライダーが自動的に収納位置へと移行すること、取り付け基体の内部に各構成部材を合理的に組み込むことなどである（内部スペースの有効的活用）。
【課題を解決するための手段】
【０００６】
本発明の引戸用ロック具は、ケース状の取り付け基体と、この取り付け基体の収納部分に水平動自在に設けられ、かつ、取り付け基体の一端面を基準にして出没可能な係合スライダーと、前記一端面と交差する取り付け基体の正面側に位置する操作片と、この操作片に連結され、かつ、該操作片の操作力に基づき前記係合スライダーを作動させる動力伝達手段とを備えることを特徴とする。
【０００７】
また、本発明の引戸錠は、引戸に凹所５１を有する受け具５０を取り付け、一方、戸枠に請求項１に記載の引戸用ロック具１を取り付けたことを特徴とする。
【発明の効果】
【０００８】
（１）ロック具の操作性の向上を図ることができる。例えば指で回転操作するだけでよい。
（２）係合スライダーは安定的に水平移動する。
（３）上げ下げ型シャッター方式や吊り下げ型ランナー方式の引戸錠として利用することができる。この場合、受け具は幅広の係合凹所を有することから、チリ寸法に対応して、ロック具の係合片を係合凹所に入れることができる。
（３）係合手段と共に戻しバネが構成要件である場合には、解錠時、操作片を少し操作すると、係合スライダーが自動的に収納位置へと移動する。
（４）取り付け基体に各構成部材をコンパクトに収めることができる。
【発明を実施するための最良の形態】
【０００９】
以下、図１乃至図１９は、本発明の建具や家具用のロック具と、これを利用した引戸錠に関する最良の形態である。
【００１０】
（１）ロック具と受け具
図１はロック具１と受け具５０をそれぞれ示す斜視図である。図１（ａ）は、ケース状のロック具１であり、このロック具１は引戸用に用いられる。その場合には、戸枠の縦枠の外面に形成された縦長切欠に嵌め込まれる。一方、図１（ｂ）は、ロック具１とセットで用いられる金属製の受け具５０で、この受け具５０の少なくとも一側面には、前記ロック具１の係合スライダー４と係合する凹所が形成されている。受け具５０は、例えば引戸の戸先に形成された縦長切欠に嵌め込まれる。後述する図１５乃至図１９で示すように、ロック具１と受け具５０の組み合わせは、引戸錠Ｘを構成する。以下、本発明の構成要件について順次説明する。
【００１１】
（２）受け具５０
まず、説明の便宜上、図１乃至図３を参照にして、受け具５０から説明する。図１（ｂ）で示すように、受け具５０は、金属製の板をプレスで折り曲げ形成して、例えば外観上、長箱状に形成する。この受け具５０の新規事項を指摘すれば次のとおりである。まず、ロック具１と組み合わせて用いられること。付言すると、引戸の戸先に凹所５１を有する受け具５０を取り付け、  一方、戸枠の縦枠にロック具１を取り付けて、「引戸錠Ｘ」として使用することができること。
【００１２】
次に、引戸の閉鎖時、受け具５０の凹所５１とロック具１の係合スライダー４が対向し、施錠状態にする場合には、操作片（例えばサムターン）を回転操作すると、係合スライダー４は前記凹所５１側へと前進し、その突出外端部４ａが凹所５１内に入り込むこと。
【００１３】
次に、受け具５０の凹所５１内に該凹所５１を複数（例えば二分）に区分けする仕切り片５２を設け、引戸の閉鎖時、ロック具１の係合スライダー４と対向する第１凹所５１ａは、係合スライダー４を受止める係止用として使用され、一方、他方の露呈する第２凹所５１ｂは引手用として使用されること。そして、前記仕切り片５２は、図２で示すように、縦方向の柱状或いは棒状体であり、引戸の閉鎖時、該棒状体を押し込むことが可能である。本実施例では、仕切り片５２は、上下端部に螺合部（例えばメネジ）５２ａを有しており、受け具５０の上下の壁５０ａに形成した貫通小孔５３及び複数個の固着具５４を介してケース形受け具５０の凹所５１内を二分するように螺着される。符号５５は、第１凹所５１ａを形成する内壁面で、この内壁面５５は係合スライダー２のフラット形状、鉤形状等の突出先端部２ａを受止める係止用として使用される。一方、符号５６は前記内壁面５５と対向する第２凹所５１ｂの内壁面で、この内壁面５６は引戸を開ける際の引手用として利用される。その他の細部的事項は割愛する。
【００１４】
（３）ロック具１の基本的構成
まず、図４乃至図１４を参照にしてロック具１の基本的構成を説明する。ロック具１は、ケース状の取り付け基体２と、この取り付け基体２の収納部分３に水平動自在に設けられ、かつ、取り付け基体２の一端面２ａを基準にして出没可能な係合スライダー４と、前記一端面２ａと交差する取り付け基体２の正面側２ｂに位置する操作片５と、この操作片５に連結され、かつ、該操作片の操作力に基づき前記係合スライダー４を作動させる動力伝達手段６とを備える。
【００１５】
そして、本実施例では、図７で示すように、係合スライダー４は、取り付け基体２のレール部１３にスライド嵌合する嵌合部２４を有すると共に、該嵌合部に連続する板状の中央部２０には、その内端面から突出先端部４ａに向かって動力伝達手段としてのピニオン部材６と噛合するラック２３が形成されている。また、係合スライダー４には、少なくとも施錠状態の時に取り付け基体２の被係合部１６に係合する係合手段１７が設けられていると共に、該係合スライダーを常時収納部分の方向に付勢する上下一対の戻しバネ１５が配設されている。
【００１６】
上記構成に於いて、操作片５を所定量回転操作すると、係合スライダー４は取り付基体２のレール部１３に案内されて、取り付基体２の一端面２ａから突出する。その突出先端部４ａが、引戸の受け具５０の凹所５１に入り込むと施錠状態である。一方、操作片５を逆方向へと所定量回転操作すると、係合スライダー４は同様に取り付基体２のレール部１３に案内されて、取り付基体２の収納部分３へと戻る。
【００１７】
（４）ロック具１の具体的構成―その１
ロック具１の具体的構成を説明する。なお、一部の符号は省略している。まず、図４は、施錠状態におけるロック具１の正面図である。この正面図を基準にすると、２ａは取り付け基体２の右側の一端面（ここでは「先端面」とする）、２ｂは一端面２ａと交差する正面、２ｃは左側の他端面（ここでは「後端面」とする）、２ｄは上面、２ｅは下面である。したがって、取り付け基体２の裏側が背面２ｆとなる（図８参照）。
【００１８】
本実施例の取り付け基体２は、縦長ケース状に形成され、かつ、先後の端面２ａ、２ｃがそれぞれ開口するケース本体１０と、このケース本体１０の後端面２ｃの開口を閉鎖する閉鎖板１１とから成り、前記ケース本体１０の正面２ｂの中央部には、矩形状の外向き凹所１２が形成されている。そして、外向き凹所１２を形成すると共に、収納部分３内に突出する上下の外壁面にレール部１３を形成し、該レール部１３に連続する垂直壁部の一部（凹所の中心）には、動力伝達手段６の軸６ｃが貫通する貫通孔が形成されている（図８参照）。
【００１９】
また、ケース本体１０の背面２ｆの中央部には、断面段差状の嵌合孔１４が形成され、該嵌合孔１４は、動力伝達手段６のフランジ６ａが嵌合する大径孔と、この大径孔に連設する小径孔とで構成されている。そして、前記小径孔内には、動力伝達手段６の伝動ギヤ部６ｂの一部が遊嵌合する。
【００２０】
ここで、動力伝達手段６の構成を説明すると、動力伝達手段６は、ピニオン部材であり、該ピニオン部材６は、前記フランジ６ａと、このフランジ６ａに連続する伝動ギヤ部６ｂと、この伝動ギヤ部６ｂに連続して前述した外向き凹所１２の中心壁部の貫通孔を貫通する角軸部６ｃとから成り、前記角軸部６ｃは不番の固着手段を介してサムターン式操作片５に一体的に連結されている。
【００２１】
次に、図７は、ロック具１の正面から見た縦断面の概略説明図である。この図７は解錠状態におけるロック具１の内部構造を示す。ロック具１の中心部にはピニオン部材６が位置し、その伝動ギヤ部６ｂがラッチ機能、係止機能等を有する係合スライダー４の中央部に形成された或いは設けられた横方向のラックに噛合している。
【００２２】
また、ピニオン部材６を基準として、収納部分４を構成する上端部と下端部には、段差面を有するバネ収納部が形成され、これらのバネ収納部には、係合スライダー４を常時内部方向に付勢する上下一組の戻しバネ１５、１５が配設されている。
【００２３】
そして、横に配設された戻しバネ１５の先端部は、例えばケース本体１０のバネ端支持部に支持され、一方、戻しバネ１５の後端部は、係合スライダー４の横向き上下脚状部分２１の足部２１ａに小突起状に設けたバネ端支持部２５にそれぞれ支持されている。
【００２４】
さらに、本実施例では、戻しバネ１５を独立項の限定要件とした場合の付加的事項として、ケース本体１０の収納部分４を形成する上方の内壁面並びに下方の内壁面に所要間隔を有して前後一組の被係合部（凹所溝、貫通孔等）１６がそれぞれ形成されている。
【００２５】
付言すると、前側に位置する被係合部１６には、図９で示すように、係合スライダー４が前進して、ロック具１が施錠状態になった場合に於いて、係合スライダー４の脚部２１に設けた係合手段（例えばボールプランジャー具）１７の先端部１７ａが圧接係合する。
【００２６】
一方、後側に位置する被係合部１６には、図７で示すように、係合スライダー４が内部に後退して、ロック具１が解錠状態になった場合に於いて、前記係合手段１７の先端部１７ａが圧接係合する。加えて、ケース本体１０には、その四隅に取り付け孔１８が形成されている。その他の細部的事項の説明は割愛する。
【００２７】
（５）ロック具１の具体的構成―その２
ここでは、図１０乃至図１４を参照にして、係合スライダー４を説明する。図１０は係合スライダー４の正面側が見える斜視図、図１１は正面図、図１２は正面図、図１３は右側面図、そして、図４は要部を縦断面にした説明図である。
【００２８】
例えば図１０を参照にすると、二股脚形状の係合スライダー４は、横Ｕ字形状の板状中央部（股部分）２０と、この板状中央部２０に連設された（横方向に延びた）ロボット型の上下の脚部２１とから成る。
【００２９】
しかして、図１１で示すように、板状中央部２０には、その内端面から突出先端部４ａ寄りの部位まで切欠部分２２が形成され、その一辺（例えば上方）にはピニオン部材６の伝動ギヤ部６ｂと噛合するラック２３が形成されている。
【００３０】
一方、上下の脚部２１の対向内壁面には、ケース本体１０の上下のレール部分（案内部分）１３にそれぞれスライド嵌合（係合）する端面弧状の嵌合部２４が形成されている。さらに、前述したように、横向き上下の脚部２１の足部２１ａには、垂直長孔を介して上下一対の係合手段１７がそれぞれ固定的に取り付けられている。また、足部２１ａの突起部分の垂直面には、上下一対のバネ端支持部２５が突設されている。
【００３１】
（６）引戸錠
本発明の引戸錠の目的は、例えば戸枠の縦枠や下枠にロック具１に取り付けると共に、該ロック具１の方に鎌片的な機能を持たせ、一方、引戸の方に受け具５０を取り付けることにより、上げ下げ型シャッター方式や吊り下げ型ランナー方式の引戸錠として利用することである。
【００３２】
そこで、図１５乃至図１９を参照にして、ロック具１を利用した引戸錠を説明する。これらの図に於いて、３１は戸枠、３２は吊り下げ型ランナー方式の引戸（引戸の一種）、１は戸枠３１の端面或いは縦枠３１ａの形成した切欠部分３３に嵌め込まれたロック具、５０は戸先が戸枠３１の外壁面（図面上、向こう側の壁面）に対向状態となる（例えば戸先が戸枠３１にぶつからない）引戸３２の切欠部分３４に嵌め込まれた受け具５０である。受け具５０の凹所５１は、戸枠３１の内壁面（図面上、手前側）の方に見える。
【００３３】
したがって、本発明の引戸錠Ｘは、引戸３２に凹所５１を有する受け具５０を取り付け、一方、戸枠３１にロック具１を取り付けたことにより、錠前としての機能を発揮する。
【００３４】
（７）引戸錠Ｘを施錠状態にする場合
まず、図１５、引戸３２の閉鎖時、受け具５０の凹所５１とロック具１の係合スライダー４が対向し、かつ、操作片５を指で９０度回した結果、施錠状態となった場合を示す。本発明の基本的構成で説明したように、操作片５を所定量回転操作すると、係合スライダー４は取り付基体２のレール部１３に案内されて、取り付基体２の一端面２ａから突出する。その突出先端部４ａが、引戸３２の受け具５０の凹所５１に入り込むと施錠状態となる。本実施例では、係合スライダー４は、取り付基体２に形成した被係合部１６と係合する係合手段１７を備えているので、完全施錠時、前記係合手段１７は取り付基体２の被係合部１６に係合する。
【００３５】
そこで、図１６乃至図１９は、引戸３２を施錠状態にする場合の手順を示したものである。まず、図１６はロック具１が解錠状態に於いて、引戸３２を閉めようとしている中途状態を示す。ロック具１が解錠状態の場合には、操作片５は、図６で示すように垂直状態である。また、係合スライダー４の突出先端部４ａは、収納部分３に位置している。つまり、係合スライダー４は取付け基体２の内部に完全に収まっている。
【００３６】
次に、図１７は引戸３２を閉めた結果、引戸３２の戸先が戸枠３１の縦枠３１ａの内壁面に対向するように位置した状態である。この時、引戸を閉めた者は、受け具５０の第１凹所５１ａをロック具１の係合スライダー４に対向させる必要がある。もし、引戸３２が所望の閉鎖位置に停止していないときは、受け具５０の仕切り片５２を手で押し込むようにする。図１７で示すように受け具５０の第１凹所５１ａとロック具１の係合スライダー２が対向した場合には、操作片を摘み、例えば時計方向へ回転する。図１８は、解錠状態から施錠状態へと移行する中途状態を示す。また、図１９は施錠状態を示す。施錠状態のときは、係合スライダー４の突出外端部４ａが受け具５０の第１凹所５１ａ内に入り込む。したがって、引戸３２を受け具５０の露呈する第２凹所５１ｂを利用して自由に開くことができない。
【００３７】
（８）引戸錠Ｘを解錠状態にする場合
ロック具１の構成で説明したように、操作片５を逆方向へと所定量回転操作すると、係合スライダー４は同様に取り付基体２のレール部１３に案内されて、取り付基体２の収納部分３へと戻る。本実施例では、取り付基体２の収納部分３に単数又は複数の戻しバネ１５を内装しているので、係合スライダー４は戻しバネ１５のバネ力を利用して初期の解錠位置へと戻る。なお、詳細な図面は割愛するが、その手順は、引戸錠Ｘを施錠状態にする場合とは逆の態様となる。
【実施例】
【００３８】
発明の実施の形態で示した実施例に於いて、受け具の凹所５１は、少なくとも一側面に設けられているが、他側面（向こう側）にも設けても良い。また、特に図示しないが、係合スライダー４の形状は任意に設計変更することができる。例えば係合スライダー４の突出先端部４ａの正面側は、図１０で示すように、弧状に形成して、いわゆるラッチ的機能を持たせているが、突出先端部４ａの向こう側の面（背面側の係合面）が、図１９で示したように受け具５０の第１凹所５１ａの内壁面５５に当たればよいことから、必ずしもラッチ的機能を持たせる必要はなく、普通一般のデッドボルトの形状にしても良い（角型、棒状型など）。
【産業上の利用可能性】
【００３９】
本発明は、主に錠前や建具の業界で利用される。
【図面の簡単な説明】
【００４０】
図１乃至図１９は本発明の最良の実施例を示す各説明図。
【図１】図１の（ａ）、（ｂ）は、ロック具と受け具をそれぞれ示す斜視図（要部の係合スライダーは仮想線で示している）。
【図２】受け具の分解斜視図。
【図３】図２の３―３線拡大断面説明図。
【図４】ロック具の正面からの説明図（施錠状態）。
【図５】図４を基準とした平面図。
【図６】ロック具の正面からの説明図（解錠状態）。
【図７】ロック具の正面から見た内部構造を示す説明図（解錠状態）。
【図８】ロック具の左側面から見た内部構造を示す説明図と動力伝達手段の斜視図。
【図９】ロック具の正面から見た内部構造を示す説明図（施錠状態）。
【図１０】係合スライダーの斜視図。
【図１１】係合スライダーの正面図。
【図１２】係合スライダーの平面図。
【図１３】係合スライダーの右側面図。
【図１４】係合スライダーの一部断面の説明図。
【図１５】引戸の閉鎖時、受け具の凹所とロック具の係合スライダーが対向し、かつ、施錠状態となった場合を示す説明図。
【図１６】ロック具が解錠状態に於いて、引戸を閉めようとしている中途状態を示す説明図。
【図１７】引戸を閉め状態を示す説明図。
【図１８】解錠状態から施錠状態へと移行する中途状態を示す説明図。
【図１９】施錠状態を示す説明図。
【符号の説明】
【００４１】
Ｘ…引戸錠、１…ロック具、２…取り付け基体、３…収納部分、４…係合スライダー、４ａ…係合スライダーの突出外端部、５…操作片、６…動力伝達手段、１０…ケース本体、１１…閉鎖板、１３…レール部、１４…嵌合孔、１５…戻しバネ、１６…被係合部、１７…係合手段、２０…板状中央部、２２…切欠部分、２３…ラック、２４…嵌合部、３１…戸枠、３１ａ…縦枠、３２…引戸、５０…受け具、５１…凹所、５１ａ…第１凹所、５１ｂ…第２凹所、５２…仕切り片、５５…第１凹所の内壁面、５６…第２凹所の内壁面。
【図１】
2008127857.tif 000003
【図２】
2008127857.tif 000004
【図３】
2008127857.tif 000005
【図４】
2008127857.tif 000006
【図５】
2008127857.tif 000007
【図６】
2008127857.tif 000008
【図７】
2008127857.tif 000009
【図８】
2008127857.tif 000010
【図９】
2008127857.tif 000011
【図１０】
2008127857.tif 000012
【図１１】
2008127857.tif 000013
【図１２】
2008127857.tif 000014
【図１３】
2008127857.tif 000015
【図１４】
2008127857.tif 000016
【図１５】
2008127857.tif 000017
【図１６】
2008127857.tif 000018
【図１７】
2008127857.tif 000019
【図１８】
2008127857.tif 000020
【図１９】
2008127857.tif 000021